(57)【要約】【課題】火災時に加熱発泡材の発泡が阻害される事態を防止するとともに、生産性の向上を実現できる建具を提供すること。【解決手段】建具１は、枠体３０と、枠体３０の内側に開閉可能に設けられる戸体１０と、閉鎖位置にある戸体１０と枠体３０の間の隙間を塞ぐように配置される可燃性の上側気密材４１、吊元側気密材４３及び戸先側気密材４４と、上側気密材４１、吊元側気密材４３及び戸先側気密材４４の近傍にそれぞれ配置される上側加熱発泡材６１、吊元側加熱発泡材６３及び戸先側加熱発泡材６４と、を備える。【選択図】図４
2017218838.tif 000002
【特許請求の範囲】
【請求項１】
枠体と、
前記枠体の内側に開閉可能に設けられる障子と、
閉鎖位置にある前記障子と前記枠体の間の隙間を塞ぐように配置される可燃性の気密材と、
前記気密材の近傍に配置される加熱発泡材と、
を備える建具。
【請求項２】
前記気密材は、前記加熱発泡材を覆うように配置される請求項１に記載の建具。
【請求項３】
前記加熱発泡材は、前記枠体の見込面に配置され、
前記気密材は、
前記加熱発泡材と見付方向で対向するように配置される本体部と、
前記本体部から前記枠体の見込面に向かって延出し、前記加熱発泡材を覆うように形成されるカバー部と、を有する請求項２に記載の建具。
【請求項４】
前記枠体には、見付方向に延出し、前記気密材を取り付ける取付部が設けられ、
前記取付部は、前記加熱発泡材との間に隙間が生じるように前記本体部を固定する請求項３に記載の建具。
【発明の詳細な説明】
【技術分野】
【０００１】
本発明は、加熱発泡材及び気密材を備える建具に関する。
【背景技術】
【０００２】
従来から、枠体と障子の間に熱によって膨張する加熱発泡材を配置し、火災時に枠体と障子の間から火炎や煙が通過することを防ぐ防火技術が知られている。この種の技術を開示するものとして例えば特許文献１がある。特許文献１には、ドア本体の四周縁に加熱膨張材が設けられるとともに、枠体及び沓摺りの各々戸当り部に防火パッキンを設けてなる防火ドア構造について記載されている。
【先行技術文献】
【特許文献】
【０００３】
【特許文献１】実開平５−５１３６５号公報
【発明の概要】
【発明が解決しようとする課題】
【０００４】
気密材として不燃性のパッキンを使用している場合において、パッキンが火災時に溶融することなくその場に留まって加熱発泡材の発泡を阻害するおそれがあった。加熱発泡材が適切に発泡しなれば火災時に火炎や煙が枠体と障子の間を通過するのを防ぐという本来の機能を発揮できなくなってしまう。また、防火仕様のドアでは不燃性の気密材を使用しても、防火仕様ではないドアでは可燃性の気密材を使用することがあり、防火仕様の場合かそうでない場合かで取り付ける気密材を使い分けなければならず、生産性という観点で改善の余地があった。
【０００５】
本発明は、火災時に加熱発泡材の発泡が阻害される事態を防止するとともに生産性の向上を実現できる建具を提供することを目的とする。
【課題を解決するための手段】
【０００６】
本発明は、枠体（例えば、後述の枠体３０）と、前記枠体の内側に開閉可能に設けられる障子（例えば、後述の戸体１０）と、閉鎖位置にある前記障子と前記枠体の間の隙間を塞ぐように配置される可燃性の気密材（例えば、後述の上側気密材４１、吊元側気密材４３及び戸先側気密材４４）と、前記気密材の近傍に配置される加熱発泡材（例えば、後述の上側加熱発泡材６１、吊元側加熱発泡材６３及び戸先側加熱発泡材６４）と、を備える建具（例えば、後述の建具１）に関する。
【０００７】
前記気密材は、前記加熱発泡材を覆うように配置されることが好ましい。
【０００８】
前記加熱発泡材は、前記枠体の見込面に配置され、前記気密材は、前記加熱発泡材と見付方向で対向するように配置される本体部（例えば、後述の本体部４１１，４３１，４４１）と、前記本体部から前記枠体の見込面に向かって延出し、前記加熱発泡材を覆うように形成されるカバー部（例えば、後述のカバー部４１４，４３４，４４４）と、を有することが好ましい。
【０００９】
前記枠体には、見付方向に延出し、前記気密材を取り付ける取付部（例えば、後述の上側取付部５１、吊元側取付部５３及び戸先側取付部５４）が設けられ、前記取付部は、前記加熱発泡材との間に隙間が生じるように前記本体部を固定することが好ましい。
【発明の効果】
【００１０】
本発明の建具によれば、火災時に加熱発泡材の発泡が阻害される事態を防止するとともに、生産性の向上を実現できる。
【図面の簡単な説明】
【００１１】
【図１】本発明の一実施形態に係る建具を屋外側から見た姿図である。
【図２】本実施形態の建具の縦断面図である。
【図３】本実施形態の建具の横断面図である。
【図４】本実施形態の吊元側気密材及び吊元側加熱発泡材とその周囲を示す拡大縦断面図である。
【図５】本実施形態の戸先側気密材及び戸先側加熱発泡材とその周囲を示す拡大縦断面図である。
【図６】本実施形態の上側気密材及び上側加熱発泡材とその周囲を示す拡大縦断面図である。
【発明を実施するための形態】
【００１２】
以下、建物に形成された躯体開口部の内部に設けられ、開閉可能な戸体（障子）１０を備える建具１を本発明の一実施形態として説明する。本明細書において、「見付方向」とは、建具１（戸体１０）の面方向に沿う方向であり、建具１（戸体１０）の高さ方向や幅方向を含む概念とする。
【００１３】
図１は、本実施形態に係る建具１を屋外側から見た姿図である。図１に示すように、建具１は、建物側に固定される枠体３０と、枠体３０に対して開閉可能に取り付けられる戸体１０と、を備える。
【００１４】
枠体３０は、横枠としての上枠３１及び下枠３２と、縦枠としての吊元側の縦枠３３及び戸先側の縦枠３４と、により矩形に枠組みされる。
【００１５】
戸体１０は、吊元側の縦枠３３に固定される蝶番７０を介して枠体３０の内側に吊り込まれる。戸体１０には、ハンドル９１やハンドル９１の上下にそれぞれ配置されるシリンダ錠９２等のドアの開閉に関わる部品等が配置される。
【００１６】
図２は、本実施形態の建具１の縦断面図であり、図１のＡ−Ａ線断面図である。図２に示すように、上枠３１の下面には、見付方向の下側に延出する上側取付部５１が形成される。上側取付部５１は、上枠３１の長手方向（左右方向）に延びる板状に形成されており、屋外側の面に上側気密材４１を嵌合するための嵌合溝５１１が形成される。
【００１７】
上側気密材４１は、上側取付部５１を介して上枠３１の下面（見込面）に固定される。上側気密材４１は、戸体１０上部と上枠３１の隙間を埋めるように上枠３１の左右方向の略全域に設けられる。
【００１８】
下枠３２の屋内側には、左右方向にわたって上方に突出する突条部５２１が形成される。突条部５２１の上面にはカバー部材５２３が取り付けられ、その屋外側の面には下側取付部５２が形成される。下側取付部５２には、下側気密材４２を嵌合するための嵌合溝５２２が形成される。
【００１９】
下側気密材４２は、下側取付部５２を介して下枠３２の上面（見込面）に固定される。下側気密材４２は、戸体１０下部と下枠３２の隙間を埋めるように下枠３２の左右方向の略全域に設けられる。
【００２０】
図３は、本実施形態の建具１の横断面図であり、図１のＢ−Ｂ線断面図である。図３に示すように、吊元側の縦枠３３には、見付方向の戸先側に延出する吊元側取付部５３が形成される。吊元側取付部５３は、縦枠３３の長手方向（上下方向）に延びる板状に形成されており、屋外側の面に吊元側気密材４３を嵌合するための嵌合溝５３１が形成される。
【００２１】
吊元側気密材４３は、吊元側取付部５３を介して縦枠３３における戸先側を向く面（見込面）に固定される。吊元側気密材４３は、戸体１０の吊元側の端面と縦枠３３の隙間を埋めるように縦枠３３の上下方向の略全域に設けられる。
【００２２】
戸先側の縦枠３４には、見付方向の吊元側に延出する戸先側取付部５４が形成される。戸先側取付部５４は、縦枠３４の長手方向（上下方向）に延びる板状に形成されており、屋外側の面に戸先側気密材４４を嵌合するための嵌合溝５４１が形成される。
【００２３】
戸先側気密材４４は、戸先側取付部５４を介して縦枠３４における吊元側を向く面（見込面）に固定される。戸先側気密材４４は、戸体１０の戸先側の端面と縦枠３４の隙間を埋めるように縦枠３４の上下方向の略全域に設けられる。
【００２４】
上側気密材４１、下側気密材４２、吊元側気密材４３及び戸先側気密材４４の４方に配置される気密材によって、戸体１０閉鎖時における戸体１０と枠体３０の隙間が埋められている。また、これらの気密材のうち、上側気密材４１、吊元側気密材４３及び戸先側気密材４４の近傍には、上側加熱発泡材６１、吊元側加熱発泡材６３及び戸先側加熱発泡材６４がそれぞれ配置される。
【００２５】
上側加熱発泡材６１、吊元側加熱発泡材６３及び戸先側加熱発泡材６４は、エポキシ樹脂やポリ塩化ビニル（ＰＶＣ）等の発泡性樹脂からなる細長のシート状の部材であり、枠体３０側に接着固定されるとともに固定部材としてのビス６５によって締結されている。なお、発泡性樹脂を機械的に固定するための部材は、ビス６５に限られず、クリップ等、枠体３０に対して発泡性樹脂を固定できる機械的な要素であればよい。
【００２６】
本実施形態の上側気密材４１、下側気密材４２、吊元側気密材４３及び戸先側気密材４４は、いずれも可燃性の材料（例えば、オレフィン系エラストマー）で成形されるパッキンであり、火災時に火炎によって焼失する。
【００２７】
次に、気密材と加熱発泡材の位置関係について説明する。図４は、本実施形態の吊元側気密材４３及び吊元側加熱発泡材６３とその周囲を示す拡大縦断面図である。
【００２８】
図４に示すように、吊元側加熱発泡材６３は、吊元側気密材４３の近傍に配置されている。本実施形態の吊元側加熱発泡材６３は、その平面部分が吊元側気密材４３に対面するように吊元側の縦枠３３の見込面に固定される。
【００２９】
吊元側気密材４３は、本体部４３１と、吊元側取付部５３の嵌合溝５３１に嵌合する嵌合部４３２と、戸体１０に接触して弾性変形する弾性変形部４３３と、吊元側加熱発泡材６３を覆うカバー部４３４と、を備える。
【００３０】
本体部４３１は、吊元側取付部５３の嵌合溝５３１に嵌合部４３２が嵌合した状態で、吊元側の縦枠３３の見込面との間に、吊元側加熱発泡材６３を配置するための収容空間を形成する。
【００３１】
嵌合部４３２は、嵌合溝５３１の形状に応じて形成される。本実施形態では、嵌合部４３２が嵌合溝５３１にスライド挿入されることにより、吊元側気密材４３が縦枠３３に固定される。本体部４３１と縦枠３３の間には収容空間が形成されているので、この挿入作業で本体部４３１が縦枠３３に接触して挿入作業が滞ることもない。
【００３２】
弾性変形部４３３は、複数の突条片から構成される。弾性変形部４３３が閉鎖位置の戸体１０に接触して弾性変形することにより、戸体１０と縦枠３３の間の隙間が埋められる。
【００３３】
カバー部４３４は、本体部４３１の吊元側の端部から屋外側に延出した後に縦枠３３側に曲がるように形成されており、平面視の断面形状が略Ｌ字状になっている。このカバー部４３４によって吊元側加熱発泡材６３を収容する収容空間が外部から隔てられる。これによって、吊元側加熱発泡材６３及びビス６５がカバー部４３４に覆われた状態となる。
【００３４】
ここで、吊元側気密材４３と蝶番７０の位置関係について説明する。図３に示すように、蝶番７０は、枠体３０側に固定される枠体側羽根板７１と、枠体側羽根板７１に回転可能に連結されるとともに、戸体１０側に固定される戸体側羽根板７２と、を備える。本実施形態では、枠体側羽根板７１は吊元側の縦枠３３の見込面に固定され、戸体側羽根板７２は戸体１０の吊元側の端面に固定される。そして、吊元側気密材４３のカバー部４３４の先端部は、蝶番７０の枠体側羽根板７１と見込方向で重なる位置関係となっている。枠体側羽根板７１によって、屋外側からカバー部４３４と縦枠３３の間の隙間がより見え難くい構造となっている。
【００３５】
図５は、本実施形態の戸先側気密材４４及び戸先側加熱発泡材６４とその周囲を示す拡大縦断面図である。図５に示すように、戸先側加熱発泡材６４は、戸先側気密材４４の近傍に配置されている。本実施形態の戸先側加熱発泡材６４は、その平面部分が戸先側気密材４４に対向するように戸先側の縦枠３４の見込面に固定される。
【００３６】
戸先側気密材４４は、吊元側気密材４３と同様に構成される。具体的には、戸先側気密材４４は、本体部４４１と、戸先側取付部５４の嵌合溝５４１に嵌合する嵌合部４４２と、戸体１０に接触して弾性変形する弾性変形部４４３と、戸先側加熱発泡材６４を覆うカバー部４４４と、を備える。
【００３７】
嵌合部４４２が戸先側取付部５４の嵌合溝５４１に嵌合することにより、本体部４４１と戸先側の縦枠３４の見込面との間には戸先側加熱発泡材６４を配置するための収容空間が形成される。
【００３８】
カバー部４４４は、本体部４４１の戸先側の端部から屋外側に延出した後に縦枠３４側に曲がるように形成されており、平面視の断面形状が略Ｌ字状になっている。このカバー部４４４によって戸先側加熱発泡材６４を収容する収容空間が外部から隔てられる。これによって、戸先側加熱発泡材６４及びビス６５がカバー部４４４に覆われた状態となる。
【００３９】
図６は、本実施形態の上側気密材４１及び上側加熱発泡材６１とその周囲を示す拡大縦断面図である。図６に示すように、上側加熱発泡材６１は、上側気密材４１の近傍に配置されている。本実施形態の上側加熱発泡材６１は、その平面部分が上側気密材４１に対向するように上枠３１の見込面に固定される。
【００４０】
上側気密材４１についても、吊元側気密材４３と同様に構成される。具体的には、上側気密材４１は、本体部４１１と、上側取付部５１の嵌合溝５１１に嵌合する嵌合部４１２と、戸体１０に接触して弾性変形する弾性変形部４１３と、上側加熱発泡材６１を覆うカバー部４１４と、を備える。
【００４１】
嵌合部４１２が上側取付部５１の嵌合溝５１１に嵌合することにより、本体部４１１と上枠３１の見込面との間には上側加熱発泡材６１を配置するための収容空間が形成される。
【００４２】
カバー部４１４は、本体部４１１の上部から屋外側に延出した後に上方に曲がるように形成されており、側面視の断面形状が略Ｌ字状になっている。このカバー部４１４によって上側加熱発泡材６１を収容する収容空間が外部から隔てられる。これによって、上側加熱発泡材６１及びビス６５がカバー部４１４に覆われた状態となる。
【００４３】
図４から図６を参照して説明したように、上側加熱発泡材６１は上側気密材４１の死角に位置し、吊元側加熱発泡材６３は吊元側気密材４３の死角に位置し、戸先側加熱発泡材６４は戸先側気密材４４の死角に位置することになる。
【００４４】
火災時には可燃性の材料で構成される上側気密材４１、吊元側気密材４３及び戸先側気密材４４が焼失するので上側加熱発泡材６１、吊元側加熱発泡材６３及び戸先側加熱発泡材６４の発泡を阻害することもない。
【００４５】
以上説明した実施形態の建具１によれば、以下のような効果を奏する。
建具１は、枠体３０と、枠体３０の内側に開閉可能に設けられる戸体１０と、閉鎖位置にある戸体１０と枠体３０の間の隙間を塞ぐように配置される可燃性の上側気密材４１、吊元側気密材４３及び戸先側気密材４４と、上側気密材４１、吊元側気密材４３及び戸先側気密材４４の近傍にそれぞれ配置される上側加熱発泡材６１、吊元側加熱発泡材６３及び戸先側加熱発泡材６４と、を備える。
【００４６】
これにより、火災時には気密材が焼失するので、加熱発泡材の発泡が阻害される事態を回避できる。また、防火仕様の場合と防火仕様ではない場合で、気密材を使い分ける必要がなくなるので、部品の共通化も実現でき、生産性も向上する。
【００４７】
また、本実施形態では、上側気密材４１、吊元側気密材４３及び戸先側気密材４４は、上側加熱発泡材６１、吊元側加熱発泡材６３及び戸先側加熱発泡材６４をそれぞれ覆うように配置される。
【００４８】
これにより、加熱発泡材が外観上見え難くなり、意匠性を向上させることができる。また、防火仕様の場合と防火仕様ではない場合の何れにおいても、加熱発泡材が見えなくなるので、外観を合わせることができ、デザインの共通化も実現できる。
【００４９】
また、本実施形態では、上側加熱発泡材６１、吊元側加熱発泡材６３及び戸先側加熱発泡材６４は、枠体３０の見込面に配置され、上側気密材４１、吊元側気密材４３及び戸先側気密材４４は、前記加熱発泡材と見付方向で対向するように配置される本体部４１１，４３１，４４１と、本体部４１１，４３１，４４１から枠体３０の見込面に向かって延出し、上側加熱発泡材６１、吊元側加熱発泡材６３及び戸先側加熱発泡材６４を覆うように形成されるカバー部４１４，４３４，４４４と、それぞれを有する。
【００５０】
これにより、加熱発泡材が枠体に直接固定されるので、加熱発泡材を配置するためのスペースを別途用意する必要がなく、防火仕様の場合とそうでない場合で枠体の構造も共通化できるので生産性を一層向上させることができる。また、カバー部を利用することによって、気密材の位置を変えることなく、加熱発泡材を配置することができ、レイアウトの自由度が向上する。これによって、加熱発泡材を外部から見えなくしつつ、戸体側に近付けて配置することも可能となる。更に、カバー部によって枠体との隙間が見え難くなるので、防火仕様の場合とそうでない場合のいずれにおいても、意匠性を向上させることができる。
【００５１】
また、本実施形態では、枠体３０には、見付方向に延出し、上側気密材４１、吊元側気密材４３及び戸先側気密材４４を取り付ける上側取付部５１、吊元側取付部５３及び戸先側取付部５４が設けられ、上側取付部５１、吊元側取付部５３及び戸先側取付部５４は、上側加熱発泡材６１、吊元側加熱発泡材６３及び戸先側加熱発泡材６４との間に隙間が生じるように本体部４１１，４３１，４４１をそれぞれ固定する。
【００５２】
これにより、気密材と加熱発泡材の間に隙間が形成されるので、気密材を取付部に挿入するときに、気密材と加熱発泡材が接触して、挿入の障害となる事態を防止できる。また、加熱発泡材の一部が枠体から剥がれたとしても本体部によって受け止められるので、加熱発泡材が完全に脱落してしまうこともない。
【００５３】
以上、本発明の好ましい実施形態について説明したが、本発明は、上述の実施形態に制限されるものではなく、適宜変更が可能である。
【００５４】
上記実施形態では、上側気密材４１、吊元側気密材４３及び戸先側気密材４４がカバー部４１４，４３４，４４４をそれぞれ有する構成であるが、気密材の形状は上記実施形態の構成に限定されない。例えば、カバー部４１４，４３４，４４４を省略することができる。カバー部を省略しても、加熱発泡材は気密材の裏側に位置しているため、加熱発泡材を外部から見え難くすることができる。また、締結部材としてのビス６５を省略して気密材と加熱発泡材の隙間をより小さくしたり、場合によっては気密材と加熱発泡材の一部又は全部を接触させる構成としたりすることもできる。
【符号の説明】
【００５５】
１  建具
１０  戸体（障子）
３０  枠体
４１  上側気密材（気密材）
４３  吊元側気密材（気密材）
４４  戸先側気密材（気密材）
６１  上側加熱発泡材（加熱発泡材）
６３  吊元側加熱発泡材（加熱発泡材）
６４  戸先側加熱発泡材（加熱発泡材）
４１１，４３１，４４１  本体部
４１４，４３４，４４４  カバー部
５１  上側取付部（取付部）
５３  吊元側取付部（取付部）
５４  戸先側取付部（取付部）
【図１】
2017218838.tif 000003
【図２】
2017218838.tif 000004
【図３】
2017218838.tif 000005
【図４】
2017218838.tif 000006
【図５】
2017218838.tif 000007
【図６】
2017218838.tif 000008